(57)【要約】      （修正有）【課題】斬新な形状を成し、注意を引きやすいのぼり旗を提供する。【解決手段】旗本体２が、シート状であって、直線状の側縁部２ｂと、側縁部２ｂに連続する湾曲した上縁部２ｄとを有している。竿挿入部３が、側縁部２ｂと上縁部２ｄとに沿って旗本体２に設けられている。竿挿入部３は、細長いシート状部材１３を長さ方向に沿って２つに折り、シート状部材１３の両側縁１３ｂ，１３ｃの間に、側縁部２ｂと上縁部２ｄとを挟んで各縁部に沿って縫い合わせられて、細長い袋状に形成されている。竿挿入部３は、上側端部が閉じ、下側端部に挿入口１４を有している。旗竿４が、直棒状の竿本体と、竿本体の先端に着脱可能に設けられた可撓性芯材とから成っている。旗竿４は挿入口１４に挿入されて竿本体が側縁部２ｂに沿って配置され、可撓性芯材が上縁部２ｄに沿って湾曲して配置される。【選択図】図１
0003137971.tif 000002
【実用新案登録請求の範囲】
【請求項１】
旗本体と竿挿入部と旗竿とを有し、
前記旗本体はシート状であって、直線状の側縁部と、前記側縁部に連続する湾曲した上縁部とを有し、
前記竿挿入部はシート状部材を２つに折って成り、前記旗本体の前記側縁部と前記上縁部とを挟み、各縁部に沿って縫い合わせられて細長い袋状に形成されており、上側端部が閉じ、下側端部に挿入口を有し、
前記旗竿は直棒状の竿本体の先端に可撓性芯材を設けて成り、前記挿入口に挿入されて前記竿本体が前記側縁部に沿って配置され、前記可撓性芯材が前記上縁部に沿って湾曲して配置されることを、
特徴とするのぼり旗。
【請求項２】
前記シート状部材は前記側縁部および前記上縁部に沿った細長い形状の２枚のシートを互いに重ね合わせて湾曲した内側縁部を互いに縫い合わせて成り、前記竿挿入部は前記シート状部材を縫い合わせ部が内側になるよう２つに折って成ることを、
特徴とする請求項１記載ののぼり旗。
【請求項３】
前記竿挿入部は前記上側端部が補強部材を固定されて閉じていることを、特徴とする請求項１または２記載ののぼり旗。
【請求項４】
前記旗竿は前記可撓性芯材が前記竿本体に着脱可能に設けられ、前記可撓性芯材の先端に球状の案内部が設けられていることを、特徴とする請求項１、２または３記載ののぼり旗。
【考案の詳細な説明】
【技術分野】
【０００１】
本考案は、のぼり旗に関する。
【背景技術】
【０００２】
従来ののぼり旗として、矩形状の旗本体の側縁に沿って設けられた竿挿入部に旗竿を挿入し、旗竿の上縁に沿って設けられた竿挿入部に、旗竿に対して垂直に取り付けられた横棒を挿入したものがある（例えば、特許文献１参照）。
【０００３】
【特許文献１】実用新案登録第３１０５６７７号公報
【考案の開示】
【考案が解決しようとする課題】
【０００４】
しかしながら、特許文献１に記載ののぼり旗では、旗本体の形状がありふれた矩形状であるため、形状では注意を引きにくいという課題があった。
【０００５】
本考案は、このような課題に着目してなされたもので、斬新な形状を成し、注意を引きやすいのぼり旗を提供することを目的とする。
【課題を解決するための手段】
【０００６】
上記目的を達成するために、本考案に係るのぼり旗は、旗本体と竿挿入部と旗竿とを有し、前記旗本体はシート状であって、直線状の側縁部と、前記側縁部に連続する湾曲した上縁部とを有し、前記竿挿入部はシート状部材を２つに折って成り、前記旗本体の前記側縁部と前記上縁部とを挟み、各縁部に沿って縫い合わせられて細長い袋状に形成されており、上側端部が閉じ、下側端部に挿入口を有し、前記旗竿は直棒状の竿本体の先端に可撓性芯材を設けて成り、前記挿入口に挿入されて前記竿本体が前記側縁部に沿って配置され、前記可撓性芯材が前記上縁部に沿って湾曲して配置されることを、特徴とする。
【０００７】
本考案に係るのぼり旗は、挿入口から竿挿入部の内部に挿入された旗竿の可撓性芯材が上縁部に沿って配置されるため、湾曲部を有する斬新な形状を成し、注意を引きやすい。また、竿挿入部の内部で撓んだ可撓性芯材が復元力により旗本体を張るので、旗本体がよじれにくく、旗本体の表示を見やすい。竿挿入部が旗本体とは別の部材から成るため、竿挿入部と旗本体とを異なる色や模様、生地にすることにより、様々な柄のものを作成することができる。竿挿入部を形成するシート状部材は、１枚のシートから成っていてもよく、２枚のシートから成っていてもよい。
【０００８】
本考案に係るのぼり旗で、前記シート状部材は前記側縁部および前記上縁部に沿った細長い形状の２枚のシートを互いに重ね合わせて湾曲した内側縁部を互いに縫い合わせて成り、前記竿挿入部は前記シート状部材を縫い合わせ部が内側になるよう２つに折って成ることが好ましい。この場合、シート状部材が１枚のシートから成る場合に比べて、竿挿入部を側縁部および上縁部に沿った形状に作りやすい。
【０００９】
本考案に係るのぼり旗で、前記竿挿入部は前記上側端部が補強部材を固定されて閉じていることが好ましい。この場合、旗竿を竿挿入部に挿入したとき、旗竿の先端が当たっても、補強部材により竿挿入部の上側端部が破損しにくい。
【００１０】
本考案に係るのぼり旗で、前記旗竿は前記可撓性芯材が前記竿本体に着脱可能に設けられ、前記可撓性芯材の先端に球状の案内部が設けられていることが好ましい。この場合、竿本体から可撓性芯材を取り外すことにより、旗竿の運搬、収納が容易になる。また、共通の竿本体に対し、長さや可撓性の異なる可撓性芯材を付け替えることができるので、旗竿の多品種生産が容易で、その製造コストを低減することができる。球状の案内部により、旗竿を竿挿入部に通しやすくなり、また、竿挿入部の上側端部が破損しにくくなる。
【考案の効果】
【００１１】
本考案によれば、斬新な形状を成し、注意を引きやすいのぼり旗を提供することができる。
【考案を実施するための最良の形態】
【００１２】
以下、図面に基づき本考案の実施の形態について説明する。
図１乃至図３は、本考案の実施の形態ののぼり旗を示している。
図１に示すように、のぼり旗１は、旗本体２と竿挿入部３と旗竿４とを有している。
【００１３】
図１に示すように、旗本体２は、縦長の１枚のシートから成っている。旗本体２は、下縁部２ａが両側縁部２ｂ，２ｃに対して傾斜して直線状に形成されている。旗本体２は、両側縁部２ｂ，２ｃが直線状に形成され、側縁部２ｂが側縁部２ｃより長くなっている。旗本体２は、上縁部２ｄが両側縁部２ｂ，２ｃに連続して半円状に湾曲している。
【００１４】
図１に示すように、竿挿入部３は、側縁部２ｂと上縁部２ｄとに沿って旗本体２に設けられている。竿挿入部３は、シート状部材１３を２つに折って成る。シート状部材１３は、２枚の細長い直線状の生地１１と２枚の半円弧状の生地１２とから成る。生地１１および生地１２は、それぞれ同じ形状の細長い２枚のシートを互いに重ね合わせ、湾曲した側の内側縁部を互いに縫い合わせてある。直線状の生地１１と半円弧状の生地１２との接続部分は、直線状の生地１１の長さ方向に対して斜めに縫い付けられている。しかし、その接続部分は、直線状の生地１１の長さ方向に対してほぼ垂直に縫い付けられていてもよい。図２に示すように、竿挿入部３は、シート状部材１３の縫い合わせ部１３ａが内側になるよう２つに折り、シート状部材１３の両側縁１３ｂ，１３ｃの間に側縁部２ｂと上縁部２ｄとを挟み、各縁部に沿って縫い合わせられて細長い袋状に形成されている。
【００１５】
図１に示すように、竿挿入部３は、側縁部２ｂの上縁部２ｄとは反対側となる下側端部に挿入口１４を有している。竿挿入部３は、側縁部２ｂの上縁部２ｄとは反対の端部側を内側に折り返すことにより、挿入口１４の周縁１４ａが補強されている。また、竿挿入部３は、上縁部２ｄの側縁部２ｂとは反対側となる上側端部の内部に補強部材１５が設けられ、閉じられている。
【００１６】
図３に示すように、旗竿４は、直棒状の竿本体１６と、竿本体１６の先端に着脱可能に設けられた可撓性芯材１７とを有している。図３（ａ）に示すように、可撓性芯材１７は、グラスファイバー製で、上縁部２ｄよりやや長く形成されており、先端に球状の案内部１７ａが設けられている。図３（ｂ）に示すように、竿本体１６は、可撓性芯材１７側の端部に、長さ方向に沿った嵌合孔１６ａを有している。可撓性芯材１７は、案内部１７ａとは反対側の端部に、竿本体１６の嵌合孔１６ａに嵌合可能に設けられた嵌合突部１７ｂを有している。図１に示すように、旗竿４は、挿入口１４から竿挿入部３の内部に挿入されている。竿本体１６は側縁部２ｂに沿って配置され、可撓性芯材１７は上縁部２ｄに沿って湾曲して配置される。
【００１７】
次に、作用について説明する。
のぼり旗１は、挿入口１４から竿挿入部３の内部に挿入された旗竿４の可撓性芯材１７が上縁部２ｄに沿って配置されるため、湾曲部を有する斬新な形状を成し、注意を引きやすい。また、竿挿入部３の内部で撓んだ可撓性芯材１７が復元力により旗本体を張るので、旗本体２がよじれにくく、旗本体２の表示を見やすい。竿挿入部３が旗本体２とは別の部材から成るため、竿挿入部３と旗本体２とを異なる色や模様、生地にすることにより、様々な柄のものを作成することができる。
【００１８】
のぼり旗１は、旗竿４の竿本体１６から可撓性芯材１７を取り外すことにより、旗竿４を容易に運搬したり収納したりすることができる。また、共通の竿本体１６に対し、長さや可撓性の異なる可撓性芯材１７を付け替えることができ、旗竿４の多品種生産が容易で、その製造コストを低減することができる。旗竿４を竿挿入部３に挿入したとき、旗竿４の可撓性芯材１７の先端が当たっても、補強部材１５および球状の案内部１７ａにより上縁部２ｄの上側端部が破損しにくくなっている。また、球状の案内部１７ａにより、旗竿４を竿挿入部３に通しやすい。
【００１９】
のぼり旗１は、シート状部材１３が、２枚のシートから成るため、１枚のシートから成る場合に比べて、竿挿入部３を側縁部２ｂおよび上縁部２ｄに沿った形状に作りやすい。シート状部材１３の縫い合わせ部が内側になるよう２つに折ることにより、縫い目を隠すことができ、見た目もよい。
【図面の簡単な説明】
【００２０】
【図１】本考案の実施の形態ののぼり旗を示す側面図である。
【図２】図１に示すのぼり旗の竿挿入部および旗本体を示す断面図である。
【図３】図１に示すのぼり旗の（ａ）旗竿を示す側面図、（ｂ）旗竿の竿本体と可撓性芯材との境界付近を示す拡大側面図である。
【符号の説明】
【００２１】
１    のぼり旗
２    旗本体
２ａ  下縁部
２ｂ  側縁部
２ｃ  側縁部
２ｄ  上縁部
３    竿挿入部
４    旗竿
１３  シート状部材
１４  挿入口
１５  補強部材
１６  竿本体
１７  可撓性芯材
【図１】
0003137971.tif 000003
【図２】
0003137971.tif 000004
【図３】
0003137971.tif 000005